(57)【要約】【課題】照明器具、とくに小型の照明器具を天井パネルや壁パネル等に、簡単に、作業性よく取り付けできる構造を提供する。【解決手段】パネル２に照明器具３を取り付けるための構造であって、ブッシュ部１１と照明器具固定板１２とからなり、該ブッシュ部１１はリング体１１１に略等間隔でスリット１１２を設けて各スリット１１２の間が係止部１１３とされ、該係止部１１３は上記パネル２に弾性的に係合するとともに、その先端部には外向きの係止爪１１４が延設され、該照明器具固定板１２の円周部周縁内側には、照明器具固定用ビスＢが螺入する溝部１２１が周設されていることを特徴とする。【選択図】図３
2005149804.tif 000002
【特許請求の範囲】
【請求項１】
パネルに照明器具を取り付けるための構造であって、ブッシュ部と照明器具固定板とからなり、該ブッシュ部はリング体に略等間隔でスリットを設けて各スリットの間が係止部とされ、該係止部は上記パネルに弾性的に係合するとともに、その先端部には外向きの係止爪が延設され、該照明器具固定板の円周部周縁内側には、照明器具固定用ビスが螺入する溝部が周設されていることを特徴とする照明器具取付構造。
【請求項２】
上記ブッシュ部と照明器具固定板とが合成樹脂で一体的に成形されてなる請求項１に記載の照明器具取付構造。
【請求項３】
上記スリットの幅がコードの外径の１／２以下である請求項１に記載の照明器具取付構造。
【発明の詳細な説明】
【技術分野】
【０００１】
本発明は、照明器具取付構造に関する。さらに詳しくは、ユニットバス等の天井パネルや壁パネル等に照明器具を取り付けるための照明器具取付構造に関する。
【背景技術】
【０００２】
従来の照明器具取付構造として、上記天井パネル等に照明器具を取り付ける場合、照明器具用のコードが挿通する孔を開け、この孔にグロメットを装着し、コードと壁パネルの切断面とが直接接触し、コードが傷まないように保護することが行なわれている。
【特許文献１】特開平９−１７０６８２号公報（第１−３頁、第１図、第２図）
【特許文献２】特許特第２９６７２０９号（第１−４頁、第１図）
【発明の開示】
【発明が解決しようとする課題】
【０００３】
しかしながら、上記技術をユニットバス等における小型の照明器具に適用しても、必ずしも満足できる結果が得られるものとはいえない。そこで、本発明は、照明器具、とくに、小型の照明器具を天井パネルや壁パネル等に、簡単に、作業性よく取り付けできる構造を提供することを、その課題とする。
【課題を解決するための手段】
【０００４】
上記課題を解決するため、本発明においては、つぎのような技術的手段が講じられている。すなわち、本発明によれば、パネルに照明器具を取り付けるための構造であって、ブッシュ部と、照明器具固定板とからなり、該ブッシュ部はリング体に略等間隔でスリットを設けて各スリットの間が係止部とされ、該係止部は上記パネルに弾性的に係合するとともに、その先端部には外向きの係止爪が延設され、該照明器具固定板の円周部周縁内側には、照明器具固定用ビスが螺入する溝部が周設されていることを特徴とする照明器具取付構造が提供される。
【０００５】
上記ブッシュ部と照明器具固定板とが合成樹脂で一体的に成形されてなることが好ましい。上記スリットの幅がコードの外径の１／２以下とすることが好ましい。
【発明の効果】
【０００６】
請求項１に記載の発明は上記のとおりであり、とくに、該ブッシュ部はリング体に略等間隔でスリットを設けて各スリットの間が係止部とされ、該係止部は上記パネルに弾性的に係合するとともに、その先端部には外向きの係止爪が延設されているため、上記ブッシュ部をパネルの開口部に嵌入すると、係止部が弾性変位してパネルの開口部を通過し、通過後は、係止部が弾性復帰し、係止爪が開口部に係止する。その結果、本照明器具取付構造を壁パネル等にしっかりと取り付けることができる。
【０００７】
上記ブッシュ部と照明器具固定板とが合成樹脂で一体的に成形されているため、コンパクトでコスト的に有利に製造できる。また、スリットの幅がコードの外径の１／２以下とされているため、コードがスリットからはみ出てパネルの開口部に接触することはなく、コードを十分に保護することができる。
【発明を実施するための最良の形態】
【０００８】
以下、本発明の実施形態について図面を参照して、詳細に説明する。図１は、弾性を有する合成樹脂を用い、ブッシュ部１１と照明器具固定板１２とを一体成形してなる本発明にかかる照明器具取付構造１を示す斜視図であり、図２は上記の側断面図である。ブッシュ部１１は、リング体１１１に等間隔でスリット１１２を設け、スリット１１２とスリット１１２との間は係止部１１３とされ、複数の係止部１１３の先端部外周には、外側に向かってテーパ状に広がる係止爪１１４が延設されている。一方、円形の照明器具固定板１２の円周部周縁内側には、照明器具を固定するためのビスＢが螺入する溝部１２１が設けられている。
【０００９】
つぎに、上記構成の照明器具取付構造１を用い、壁パネル２に照明器具３を取付ける手順について図３を参照しながら説明する。図３において、照明器具３を取り付けるべき壁パネル２には、ブッシュ部１１が嵌入する開口部２１が設けられており、この開口部２１の内径は上記リング体１１１の外径と略等しくされている。そのため、ブッシュ部１１を嵌入すると係止爪１１４が開口部２１の内縁に当たり、係止部１１３が内方へ撓むとともにスリット１１２の間が縮んで、ブッシュ部１１全体が開口部２１を通過する。通過した後は係止部１１３が弾性復帰し、係止爪１１４が開口部２１にしっかりと係止し、このようにして、照明器具取付構造１を壁パネル２に取り付けることができる。
【００１０】
照明器具３には、コード３１が延設され、固定用ビスＢを通すビス孔３２が設けられている。また、上記壁パネル２にもビス孔２２が設けられており、ビスＢは、ビス孔３２およびビス孔２２を挿通し、照明器具固定板１２に周設された溝部１２１の任意の個所に螺入され、かくして、照明器具３が壁パネル２にしっかりと取付けられる。図４は、本発明にかかる照明器具取付構造１を用いて照明器具３を壁パネル２に取り付けた状態を示す側断面図である。
【００１１】
なお、本実施形態においては、上記ブッシュ部１１と照明器具固定板１２とが合成樹脂で一体的に成形されているが、これらを別体とし、例えば、ブッシュ部１１を合成樹脂で形成し、木質系材料からなる照明器具固定板１２に埋め込んでもよい。また、係止爪１１４もすべての係止部１１３に付設する必要はなく、必要に応じて選定すればよい。このように、本実施形態に限られず、本発明の照明器具取付構造は種々設計変更自在である。
【図面の簡単な説明】
【００１２】
【図１】本発明にかかる照明器具取付構造を示す斜視図である。
【図２】上記の側断面図である。
【図３】上記の照明器具取付構造を用いて照明器具を取り付ける手順を説明する説明図である。
【図４】上記の照明器具取付構造を用いて照明器具を取り付けた状態を示す側断面図である。
【符号の説明】
【００１３】
１          照明器具取付構造
１１        ブッシュ部
１１１      リング体
１１２      スリット
１１３      係止部
１１４      係止爪
１２        照明器具固定板
１２１      溝部
２          壁パネル
２１        開口部
２２        ビス孔
３          照明器具
３１        コード
３２        ビス孔
Ｂ          ビス
【図１】
2005149804.tif 000003
【図２】
2005149804.tif 000004
【図３】
2005149804.tif 000005
【図４】
2005149804.tif 000006